(57)【要約】【課題】従来の空気調和機の表示装置では、表示装置の組立作業が煩雑となる問題がある。【解決手段】この空気清浄機１（空気調和機）の表示装置３は、ＬＥＤ素子２１を有する基板２０と、基板２０が取り付けられる取付部１２を有するケーシング１０と、ＬＥＤ素子２１と対向するレンズ３２を有するレンズ部材３０とを備える。そして、レンズ部材３０は、ケーシング１０の取付部１２に基板２０が取り付けられる際に、ケーシング１０と基板２０とで挟み込まれる。【選択図】図３
2014109393.tif 000002
【特許請求の範囲】
【請求項１】
ＬＥＤ素子を有する基板と、
前記基板が取り付けられる取付部を有するケーシングと、
前記ＬＥＤ素子と対向するレンズを有するレンズ部材とを備え、
前記レンズ部材は、
前記ケーシングの取付部に前記基板が取り付けられる際に、前記ケーシングと前記基板とで挟み込まれることを特徴とする空気調和機の表示装置。
【請求項２】
前記レンズ部材は、前記基板側に突出した突出部を有し、
前記突出部の先端と前記基板との距離が、前記ＬＥＤ素子の先端と前記レンズとの距離より小さいことを特徴とする請求項１に記載の空気調和機の表示装置。
【請求項３】
前記ケーシングは、前記レンズ部材の位置決めを行う位置決め部を有し、
前記位置決め部により前記レンズ部材が位置決めされた後に、前記基板が前記ケーシングの取付部に取り付けられることを特徴とする請求項１又は２に記載の空気調和機の表示装置。
【請求項４】
請求項１〜３のいずれか１項に記載の空気調和機の表示装置を備えることを特徴とする空気調和機。
【発明の詳細な説明】
【技術分野】
【０００１】
本発明は、空気調和機の各種状態を表示する空気調和機の表示装置、及びこれを備えた空気調和機に関する。
【背景技術】
【０００２】
従来の空気調和機の表示装置としては、ＬＥＤ素子を有する基板と、この基板が取り付けられるケーシングと、このケーシングに固定され、ＬＥＤ素子と対向するレンズ部材とを備えたものがある。
【先行技術文献】
【特許文献】
【０００３】
【特許文献１】特開２００２−６２５２３号公報
【特許文献２】特開２００４−６９１５１号公報
【発明の概要】
【発明が解決しようとする課題】
【０００４】
上記の空気調和機の表示装置では、レンズ部材は、溶着、或いは、ケーシングに設けられた嵌合爪に嵌合されることにより、ケーシングに固定される。また、基板は、レンズ部材がケーシングに固定された後で、ケーシングに取り付けられる。そのため、表示装置の組立において、レンズ部材をケーシングに固定する作業と、基板をケーシングに取り付ける作業を要し、表示装置の組立作業が煩雑となる問題がある。
【０００５】
そこで、本発明の目的は、表示装置の組立作業を簡素化できる空気調和機の表示装置、及びこれを備えた空気調和機を提供することである。
【課題を解決するための手段】
【０００６】
第１の発明にかかる空気調和機の表示装置は、ＬＥＤ素子を有する基板と、前記基板が取り付けられる取付部を有するケーシングと、前記ＬＥＤ素子と対向するレンズを有するレンズ部材とを備え、前記レンズ部材は、前記ケーシングの取付部に前記基板が取り付けられる際に、前記ケーシングと前記基板とで挟み込まれることを特徴とする。
【０００７】
この表示装置では、レンズ部材は、ケーシングの取付部に基板が取り付けられる際に、ケーシングと基板とで挟み込まれるので、基板をケーシングの取付部に取り付けることによって、レンズ部材をケーシングと基板との間に固定できる。その結果、表示装置の組立において、基板をケーシングに取り付ける前に、レンズ部材を予めケーシングに固定しておく必要がないので（レンズ部材をケーシングに固定する作業と、基板をケーシングに取り付ける作業を一度に行うことができるので）、表示装置の組立作業を簡素化できる。
【０００８】
第２の発明にかかる空気調和機の表示装置は、第１の発明にかかる空気調和機の表示装置において、前記レンズ部材は、前記基板側に突出した突出部を有し、前記突出部の先端と前記基板との距離が、前記ＬＥＤ素子の先端と前記レンズとの距離より小さいことを特徴とする。
【０００９】
この表示装置では、レンズ部材は、基板側に突出した突出部を有し、突出部の先端と基板との距離が、ＬＥＤ素子の先端とレンズとの距離より小さいので、ケーシングと基板との間に固定されたレンズ部材が基板側にがたついた場合であっても、必ず先に突出部が基板と接触し、ＬＥＤ素子とレンズとが接触することがない。したがって、ＬＥＤ素子がレンズに当たって故障することを防止できる。
【００１０】
第３の発明にかかる空気調和機の表示装置は、第１又は第２の発明にかかる空気調和機の表示装置において、前記ケーシングは、前記レンズ部材の位置決めを行う位置決め部を有し、前記位置決め部により前記レンズ部材が位置決めされた後に、前記基板が前記ケーシングの取付部に取り付けられることを特徴とする。
【００１１】
この表示装置では、ケーシングは、レンズ部材の位置決めを行う位置決め部を有し、位置決め部によりレンズ部材が位置決めされた後に、基板がケーシングの取付部に取り付けられるので、レンズ部材をケーシングと基板とで容易に挟み込むことができる。
【００１２】
第４の発明にかかる空気調和機は、第１〜第３のいずれかの発明に記載の空気調和機の表示装置を備えることを特徴とする。
【００１３】
この空気調和機では、表示装置の組立作業を簡素化できる空気調和機の表示装置を備えた空気調和機を提供できる。
【発明の効果】
【００１４】
以上の説明に述べたように、本発明によれば、以下の効果が得られる。
【００１５】
第１の発明では、レンズ部材は、ケーシングの取付部に基板が取り付けられる際に、ケーシングと基板とで挟み込まれるので、基板をケーシングの取付部に取り付けることによって、レンズ部材をケーシングと基板との間に固定できる。その結果、表示装置の組立において、基板をケーシングに取り付ける前に、レンズ部材を予めケーシングに固定しておく必要がないので（レンズ部材をケーシングに固定する作業と、基板をケーシングに取り付ける作業を一度に行うことができるので）、表示装置の組立作業を簡素化できる。
【００１６】
第２の発明では、レンズ部材は、基板側に突出した突出部を有し、突出部の先端と基板の主面との距離が、ＬＥＤ素子の先端とレンズとの距離より小さいので、ケーシングと基板との間に固定されたレンズ部材が基板側にがたついた場合であっても、必ず先に突出部が基板と接触し、ＬＥＤ素子とレンズとが接触することがない。したがって、ＬＥＤ素子がレンズに当たって故障することを防止できる。
【００１７】
第３の発明では、ケーシングは、レンズ部材の位置決めを行う位置決め部を有し、位置決め部によりレンズ部材が位置決めされた後に、基板がケーシングの取付部に取り付けられるので、レンズ部材をケーシングと基板とで容易に挟み込むことができる。
【００１８】
第４の発明では、表示装置の組立作業を簡素化できる空気調和機の表示装置を備えた空気調和機を提供できる。
【図面の簡単な説明】
【００１９】
【図１】本発明の実施形態に係る空気清浄機の斜視図である。
【図２】（ａ）は、表示装置の斜視図であり、（ｂ）は、正面図である。
【図３】（ａ）は、図２（ｂ）に示す表示装置のIII(a)-III(a)断面図であり、（ｂ）は、（ａ）の一部拡大図である。
【図４】ケーシングを背面側から見た斜視図である。
【図５】基板を正面側から見た斜視図である。
【図６】レンズ部材を正面側から見た斜視図である。
【図７】レンズ部材を背面側から見た斜視図である。
【図８】表示装置の組立作業を段階的に説明する説明図である。
【発明を実施するための形態】
【００２０】
以下、図面を参照しつつ本発明の実施形態について説明する。
【００２１】
［空気清浄機１の構成］
本発明の実施形態に係る空気調和機は、空気清浄機１である。この空気清浄機１は、図１に示すように、本体ケース２ａと前パネル２ｂとからなるハウジング２を有する。この本体ケース２ａの内部には、空気清浄機１の各種状態を表示する表示装置３と、いずれも図示しない送風ファン、電気集塵装置、ストリーマ放電ユニット、フィルタ部、加湿ユニット等が収容されている。
【００２２】
電気集塵装置は、比較的小さな塵埃を帯電させる。ストリーマ放電ユニットは、空気中の有害成分や臭気成分を分解する活性種を生成する。フィルタ部は、塵埃や臭い成分を分解・吸着する。また、加湿ユニットは、空気を加湿する。
【００２３】
図１に示すように、空気清浄機１の下方及び側方には、空気清浄機１内に空気を吸い込むための吸込口４が設けられている。また、本体ケース２ａの上面には、空気清浄機１内に吸い込まれた空気が吹き出される吹出口５が設けられている。そして、図示しない送風ファンによって、吸込口４から空気清浄機１内に吸い込まれた空気は、必要に応じて加湿されると共に、塵埃や臭い成分などが取り除かれ、吹出口５から清浄な空気が吹き出される。
【００２４】
［表示装置３］
図１及び図２に示すように、表示装置３は、横長であって、空気清浄機１の上方かつ前方に配置されている。この表示装置３は、複数のＬＥＤ素子２１（図５参照）を有しており、空気清浄機１の各種状態（例えば運転モード、風量の大きさ、各種装置（電気集塵装置、ストリーマ放電ユニット、加湿ユニット等）のＯＮ／ＯＦＦ等）を表示する。
【００２５】
この表示装置３は、ケーシング１０を有し、図３に示すように、このケーシング１０内に、複数のＬＥＤ素子２１を有する基板２０（プリント基板）と、各ＬＥＤ素子２１に対向するレンズ３２を有するレンズ部材３０が収容されている。
【００２６】
＜ケーシング１０＞
ケーシング１０は、背面及び下面が解放された横長の部材であって、図２に示すように、正面には、ＬＥＤ表示のための窓（孔）１１が複数（レンズ３２と同数）形成されている。
【００２７】
また、このケーシング１０には、基板２０を取り付けるための取付部１２が形成されている。この取付部１２は、図３及び図４に示すように、ケーシング１０の上壁から下方に突出し、基板２０の上端を係止する４つの係止部１３と、３箇所に形成され、基板２０の下端及び側端を固定する固定爪１４と、２箇所に形成され、ねじＳと螺合して基板２０を固定する雌ねじ部１５とを有する。係止部１３には、スリット１３ａが形成されており、このスリット１３ａによって、基板２０の上端が係合される。これら３種の取付部１２によって、基板２０は、ケーシング１０に固定され、容易に外れないようになっている。
【００２８】
また、このケーシング１０は、図４に示すように、レンズ部材３０の位置決めを行う位置決め部１６を有する。位置決め部１６は、ケーシング１０の前壁から後方にそれぞれ突出した底板１７及び２枚の側板１８を有する。そして、この底板１７及び側板１８に、レンズ部材３０に形成された孔３４及び凹み３５（図６、図７参照）がそれぞれ挿入されることにより、レンズ部材３０がこの位置決め部１６に位置決め（係止）される。なお、孔３４及び凹み３５の幅は、底板１７及び側板１８の幅よりも十分大きい。したがって、レンズ部材３０をケーシング１０の位置決め部１６に容易に係止でき、また、レンズ部材３０を位置決め部１６から容易に取り外すことができる。
【００２９】
＜基板２０＞
基板２０（プリント基板）は、図３及び図５に示すように、主面２２と、この主面２２から前方に突出した複数のＬＥＤ素子２１を有する。なお、この基板２０は、ハーネス２３により空気清浄機１の電源部に電気的に接続されている。
【００３０】
＜レンズ部材３０＞
レンズ部材３０は、図３、図６及び図７に示すように、板状かつ横長の基底部３１と、基底部３１から前方及び後方に突出したレンズ３２とを有する。基底部３１とレンズ３２とは一体に成形されており、例えばセラミクス製である。
【００３１】
レンズ３２は、図３に示すように、背面３２ｂが基板２０のＬＥＤ素子２１と対向し、また、前方側がケーシング１０の窓１１に挿入されている。そのため、ＬＥＤ素子２１からの光源は、このレンズ３２により拡散され、ケーシング１０の窓１１から表示パネル６（図１参照）を介して、ユーザに認識される。なお、レンズ３２の前面３２ｆは、ＬＥＤ素子２１からの光源が拡散しやすいよう、シボ加工が施されている。また、レンズ３２の前面３２ｆとケーシング１０の前面は面一となっている。
【００３２】
このレンズ部材３０は、ケーシング１０の取付部１２に基板２０が取り付けられる際に、ケーシング１０と基板２０とで挟み込まれる。その結果、レンズ部材３０は、ケーシング１０と基板２０とにより保持されて、ケーシング１０と基板２０との間で固定される。つまり、このレンズ部材３０は、従来のレンズ部材のように、溶着、螺子、或いはケーシングに設けられた嵌合爪に嵌合されること等によって、ケーシング１０に固定されるものではない。
【００３３】
このレンズ部材３０は、具体的には、図３（ｂ）に示すように、ケーシング１０に形成された突起１９と基板２０とによって、前後方向への動きが制限される。また、このレンズ部材３０は、ケーシング１０の位置決め部１６に係止されることによって、上下方向及び左右方向への動きが制限される。
【００３４】
なお、本発明において、「レンズ部材３０がケーシング１０と基板２０とで挟み込まれる」とは、レンズ部材３０が、ケーシング１０と基板２０との間で固定されることを指す。但し、この固定には、レンズ部材３０が、レンズ３２とＬＥＤ素子２１とが対向する範囲内において、上下方向、前後方向、左右方向にがたつくことが含まれるものとする（例えば、本実施形態では、図３（ｂ）に示すように、基板２０がケーシング１０に取り付けられた状態において、レンズ部材３０は、距離Ｃ２ほどの遊び（隙間）を有し、距離Ｃ２ほど前後方向にがたつく。）。
【００３５】
また、このレンズ部材３０は、図３及び図７に示すように、基底部３１の背面から基板２０側（後方）に突出した複数の突出部３３を有する。この突出部３３の長さは、図３（ｂ）に示すように、突出部３３の先端と基板２０の主面２２との距離Ｃ１が、ＬＥＤ素子２１の先端と、レンズ３２の背面３２ｂとの距離Ｃ２よりも小さくなるように設計されている。その結果、例えば、レンズ部材３０が、図３（ｂ）に示す位置よりも後方にがたついた場合であっても、先に突出部３３の先端が基板２０に接触するので、ＬＥＤ素子２１とレンズ３２とが接触することがない。なお、突出部３３の先端と基板２０の主面２２との距離Ｃ１には、ゼロが含まれるものとする。
【００３６】
また、この突出部３３は、図７に示すように、基底部３１の背面のうち、レンズ３２よりも上方、レンズ３２と水平な位置、及びレンズよりも下方に配置されている（具体的には、上方に４箇所、水平な位置に７箇所、下方に６箇所配置されている）。また、この突出部３３は、レンズ部材３０の中心線Ｌ１に対して対称に配置されている。そのため、ＬＥＤ素子２１とレンズ３２とが接触して、ＬＥＤ素子２１が故障することが確実に防止される。
【００３７】
また、この突出部３３は、表示装置３の組立時に、前後方向においてＬＥＤ素子２１と重ならない位置に配置されており、突出部３３が、ＬＥＤ素子２１と接触することがないようにされている。
【００３８】
次に、図８を参照しつつ、本実施形態に係る表示装置３の組立作業について説明する。
【００３９】
表示装置３を組み立てる際には、図８（ａ）に示すように、まず、レンズ部材３０をケーシング１０の位置決め部１６に係止させて、レンズ部材３０を位置決めする。そして、図８（ｂ）、（ｃ）に示すように、レンズ部材３０を位置決めした後に、基板２０をケーシング１０に取り付ける。基板２０をケーシング１０に取り付ける際には、まず、基板２０の上端を、係止部１３のスリット１３ａに係合させる。次に、基板２０の下端及び側端を、３箇所に形成された固定爪１４で固定する。最後に、螺子Ｓを基板２０に形成された孔２４に挿入した状態で、雌ねじ部１５に螺合し、基板２０をケーシング１０に固定する。
【００４０】
以上の作業により、レンズ部材３０は、基板２０がケーシング１０の取付部１２に取り付けられる際に、ケーシング１０と基板２０とで挟み込まれる。その結果、レンズ部材３０は、ケーシング１０と基板２０とにより保持されて、ケーシング１０と基板２０との間で固定される。
【００４１】
［本実施形態の表示装置３及び空気清浄機１の特徴］
本実施形態の表示装置３及び空気清浄機１には、以下の特徴がある。
【００４２】
本実施形態の表示装置３では、レンズ部材３０は、ケーシング１０の取付部１２に基板２０が取り付けられる際に、ケーシング１０と基板２０とで挟み込まれるので、基板２０をケーシング１０の取付部１２に取り付けることによって、レンズ部材３０をケーシング１０と基板２０との間に固定できる。その結果、表示装置３の組立において、基板２０をケーシング１０に取り付ける前に、レンズ部材３０を予めケーシング１０に固定しておく必要がなくなる（レンズ部材３０をケーシング１０に固定する作業と、基板２０をケーシング１０に取り付ける作業を一度に行うことができる）。したがって、表示装置３の組立作業を簡素化できる。
【００４３】
また、本実施形態の表示装置３では、図３（ｂ）に示すように、レンズ部材３０は、基板２０側に突出した突出部３３を有し、突出部３３の先端と基板２０との距離Ｃ１が、ＬＥＤ素子２１の先端とレンズ３２との距離Ｃ２より小さい。そのため、ケーシング１０と基板２０との間に固定されたレンズ部材３０が、基板２０側にがたついた場合であっても、必ず先に突出部３３が基板２０と接触し、ＬＥＤ素子２１とレンズ３２とが接触することがない。したがって、ＬＥＤ素子２１がレンズ３２に当たって故障することを防止できる。
【００４４】
また、本実施形態の表示装置３では、ケーシング１０は、レンズ部材３０の位置決めを行う位置決め部１６を有し、位置決め部１６によりレンズ部材３０が位置決めされた後に、基板２０がケーシング１０の取付部１２に取り付けられるので、レンズ部材３０をケーシング１０と基板２０とで容易に挟み込むことができる。
【００４５】
また、本実施形態の空気清浄機１（空気調和機）では、上記の表示装置３を備えるので、表示装置３の組立作業を簡素化できる表示装置３を備えた空気清浄機１を提供できる。
【００４６】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４７】
本実施形態では、レンズ部材３０は、基板２０側に突出した突出部３３を有するが、突出部３３はなくてもよい。
【００４８】
また、本実施形態では、図３（ｂ）に示すように、レンズ部材３０は、ケーシング１０の取付部１２に基板２０が取り付けられた状態において、Ｃ２ほどの遊び（隙間）があるが、この遊び（隙間）はなくてもよい。例えば、レンズ部材３０が、前後方向において、ケーシング１０と基板２０とによって押圧されていてもよい。
【００４９】
また、本実施形態では、ケーシング１０は、レンズ部材３０の位置決めを行う位置決め部１６を有するが、位置決め部１６はなくてもよい。
【００５０】
なお、本実施形態においては、レンズ部材３０は、ケーシング１０の位置決め部１６に係止されることによって、上下方向及び左右方向への動きが制限されるので、位置決め部１６がない場合は、レンズ部材３０の上下方向及び左右方向への動きを制限する部材を、ケーシング１０、基板２０、又はレンズ部材３０等に設ける必要がある。但し、レンズ部材３０が、前後方向において、ケーシング１０と基板２０とによって押圧されており、押圧されることによって、レンズ部材３０の上下方向及び左右方向への動きが制限されてもよい。
【００５１】
また、本実施形態では、係止部１３、固定爪１４、及び雌ねじ部１５からなる取付部１２により、基板２０がケーシング１０に取り付けられているが、取付部１２は、これに限られるものではない。また、係止部１３、固定爪１４、及び雌ねじ部１５それぞれの数も上記実施形態に限られるものではない。
【００５２】
また、本実施形態では、レンズ部材３０は、基底部３１とレンズ３２とが一体のものを用いたが、別体のものを用いてもよい。
【００５３】
また、本実施形態では、空気調和機が空気清浄機１である場合について説明したが、空気調和機は、冷房運転や暖房運転を行うものであってもよい。
【００５４】
また、本実施形態では、表示装置３は、空気調和機に用いられるものとして説明したが、表示装置３は、空気調和機以外の物に用いられていてもよい。
【産業上の利用可能性】
【００５５】
本発明を利用すれば、表示装置の組立作業を簡素化できる空気調和機の表示装置、及びこれを備えた空気調和機を提供できる。
【符号の説明】
【００５６】
１  空気清浄機（空気調和機）
３  表示装置
１０  ケーシング
１２  取付部
１６  位置決め部
２０  基板
２１  ＬＥＤ素子
３０  レンズ部材
３２  レンズ
３３  突出部
【図１】
2014109393.tif 000003
【図２】
2014109393.tif 000004
【図３】
2014109393.tif 000005
【図４】
2014109393.tif 000006
【図５】
2014109393.tif 000007
【図６】
2014109393.tif 000008
【図７】
2014109393.tif 000009
【図８】
2014109393.tif 000010